(57)【要約】      （修正有）【課題】利便性や美観などに配慮されたゴミ収納庫を提供する。【解決手段】ゴミ収納庫は、前面板１１と背面板１２と左右の側面板１３と天板１４と床板１５で取り囲まれた密閉構造として、ゴミの出し入れを行う開口部１６と、開口部を塞ぐ板状の扉２１と、を備える。開口部は、天板と前面板を跨ぐように設け、その下端は、床板の近傍に配置する。また扉は、左右の側面板を結ぶ方向に移動可能で、且つ天板と前面板の双方の表面に覆い被さるような形状とする。その結果、外殻全体が金属板で覆われて美観が向上するほか、扉を閉じると内部が密閉され、外部からのゴミの視認を防ぎ、臭気の拡散が抑制され、鳥獣被害を受けることもない。さらに扉は、左右両方向に移動可能とすることで、利便性が向上する。加えて開口部の内側には、ゴミの移動を規制するため、着脱自在な仕切り３１を設けることもできる。【選択図】図１
2018199541.tif 000002
【特許請求の範囲】
【請求項１】
前面板（１１）と背面板（１２）と左右の側面板（１３）と天板（１４）と床板（１５）で取り囲まれた密閉構造で、
ゴミの出し入れを行うための開口部（１６）と、該開口部（１６）の全域を塞ぐ板状の扉（２１）と、を備え、
前記開口部（１６）は、前記天板（１４）と前記前面板（１１）を跨ぐように設けてあり、該開口部（１６）の下端は、前記床板（１５）の近傍に位置しており、
前記扉（２１）は、左右の前記側面板（１３）を結ぶ方向に移動可能としてあり、且つ前記天板（１４）と前記前面板（１１）の双方の表面に覆い被さるような形状であることを特徴とするゴミ収納庫。
【請求項２】
前記扉（２１）は、前記開口部（１６）の全域を塞いだ状態から左右両方向に移動可能であることを特徴とする請求項１記載のゴミ収納庫。
【請求項３】
前記開口部（１６）の内側には、内容物の移動を規制するため、該開口部（１６）を横切るように仕切り（３１）を設けてあることを特徴とする請求項１または２記載のゴミ収納庫。
【発明の詳細な説明】
【技術分野】
【０００１】
本発明は、家庭などから出されたゴミを一時的に集積するため、主に野外に設置されるゴミ収納庫に関する。
【背景技術】
【０００２】
ゴミ収納庫は、家庭などから出されたゴミを一時的に集積して、清掃工場に輸送する際の中継点となる設備で、野外の空きスペースなどに設置されるが、近年は、美観の向上や鳥獣被害の防止を目的として、全面を鋼板や金網で囲んだ形態が主流になっている。このようなゴミ収納庫は、箱形を基調として、前面に扉を設けただけの単純な構造のものも多いが、更なる利便性の向上などを目指して様々な技術開発も進められており、その例として下記特許文献が挙げられる。
【０００３】
特許文献１では、あらゆる位置からごみを投入可能で、しかも内部に大きな収納空間を確保可能なごみ収集ボックスが開示されている。このごみ収集ボックスは、ごみ出し入れ口が形成されたボックス本体と、ごみ出し入れ口を塞ぎ横方向に開閉可能な扉と、を備えており、扉は、中間部で突き合わされる一対の部分扉を用いた両開き構造で、しかも部分扉は、ごみ出し入れ口の上面と前面を一括して覆い隠す。加えて、部分扉をネットで構成することや、部分扉をレールに沿って走行させることも開示されている。この発明のように、部分扉を用いることで、ごみ出し入れ口の任意の部分だけを開くことができ、ごみの出し入れを容易に行うことができる。
【０００４】
次の特許文献２では、手を汚すことなく簡単に開閉可能で、しかも製造や取り付けコストが安価なゴミ収納体のカバー装置が開示されている。このカバー装置は、左右の側壁の間に開口を設けた構造のゴミ収納体に組み込まれるもので、開口を覆うネットと、左右の側壁の間に掛け渡すバーと、バーの端部をガイドするレールなどで構成され、バーがレールに沿って移動することで、ネットを開閉可能とした点などを特徴とする。この発明では、バーにネットを取り付けてあり、バーを移動させるだけでネットの折り畳みや展開が実現して、ネットの開閉作業が容易になる。またネットは、内部のゴミよりも外側に位置しており、ネットにゴミが接触することがなく、ネットの開閉時に手を汚すこともない。
【先行技術文献】
【特許文献】
【０００５】
【特許文献１】特開２００３−１１８８０７号公報
【特許文献２】特開２００５−１９４０３２号公報
【発明の概要】
【発明が解決しようとする課題】
【０００６】
前記の特許文献のように、これまでにも様々な形態のゴミ収納庫が開発されているが、ゴミ収納庫は、鳥獣被害の防止や、腐食などの劣化対策といった基本的な性能が重要視され、利便性や美観の向上といった副次的な要素は、優先度が低くなりやすい。しかしゴミ収納庫は、老若男女を問わず多くの人が使用するほか、野外に設置され、多くの人の目に触れることから、利便性や美観の向上といった面にも配慮が必要である。
【０００７】
前記の特許文献は、いずれも使用者の利便性に配慮したもので、天面から床面に至る大きな開口部を確保してある。そのため開口部を塞ぐ手段としては、鋼板や金網ではなく、軽量で変形自在なネットの使用を想定しており、パイプ枠やバーでネットを保持することが開示されている。このように、開口部をネットで塞ぐことは、多くの利点を有するものの、美観や臭気や鳥獣被害といった面では課題もある。
【０００８】
本発明はこうした実情を基に開発されたもので、利便性や美観などに配慮されたゴミ収納庫の提供を目的としている。
【課題を解決するための手段】
【０００９】
前記の課題を解決するための請求項１記載の発明は、前面板と背面板と左右の側面板と天板と床板で取り囲まれた密閉構造で、ゴミの出し入れを行うための開口部と、該開口部の全域を塞ぐ板状の扉と、を備え、前記開口部は、前記天板と前記前面板を跨ぐように設けてあり、該開口部の下端は、前記床板の近傍に位置しており、前記扉は、左右の前記側面板を結ぶ方向に移動可能としてあり、且つ前記天板と前記前面板の双方の表面に覆い被さるような形状であることを特徴とするゴミ収納庫である。
【００１０】
本発明によるゴミ収納庫は、対候性を有する金属板を組み合わせた箱形の密閉構造であり、その外殻は、前面板・背面板・側面板・天板・床板と称する板材で構成される。そのうち前面板は、ゴミの出し入れを行う使用者が接近する正面に位置している。また背面板は、前面板と対向しており、建物の壁面などに隣接して、収納されたゴミを抱え込む。
【００１１】
次に側面板は、ゴミ収納庫の左右両側で前面板と背面板をつないでいる。そして天板は、上面を塞いで雨水などの浸入を塞ぎ、また床板は、収納されたゴミを載せる役割を担う。なお前面板と背面板と側面板は、垂直方向に展開して、床板は、水平方向に展開する。ただし天板については、水平方向に展開させることも可能だが、雨水や降雪の堆積防止や美観を配慮して、背面板から前面板に向かうに連れて下降する傾斜を持たせることが望ましい。そのほか、ここに列挙した各板は、金網やエキスパンドメタルなど、網状のものを用いることはない。
【００１２】
開口部は、ゴミの出し入れを行うための役割を担い、天板と前面板を連続して切り抜いた形状である。開口部は、ゴミの出し入れを円滑に行うため、相応の面積を有する必要があり、その上端は、天板の奥行方向の半分程度に到達するものとする。また開口部の下端は、構造上可能な範囲で床板に接近させ、床板との段差をほとんど消滅させるものとする。さらに、ゴミ収納庫を正面から見た場合、開口部は、前面板の横幅の半分程度を占めるものとする。
【００１３】
扉は、開口部の全域を塞ぐことのできる板状で、しかも、対向する側面板の間を結ぶ水平方向に移動可能な構造とする。また扉についても、美観や鳥獣被害を配慮して、金網やエキスパンドメタルなど、網状のものを用いることはない。さらに扉は、開口部との隙間を最小限に留めるため、天板と前面板の双方の表面に重なるような形状とする。ただし製造時の誤差や経年変形を完全に防ぐことは難しく、扉の裏面を天板や前面板の表面に接触させる必要はない。
【００１４】
扉の円滑な水平移動を実現するため、その上下には、何らかのガイドを設ける。このガイドは、単純に扉を挟み込むだけの摺動方式とすることもできるが、直線状に伸びるガイドと、ガイドに沿って転動する戸車やフォロワーを組み合わせて、滑らかな移動を実現することもできる。また必要があれば、扉の移動範囲を規制するストッパーなどを設ける。
【００１５】
このように、天板と前面板を跨ぐ広大な範囲に開口部を設けることで、ゴミを持ち込んだ際、背面板や側面板の近傍など、様々な位置に無理なく投下可能で、内部の空間を無駄なく有効に活用できる。しかも開口部の下端は、床板の近傍に到達させることで、内部に足を踏み入れることも容易で、重量のかさむゴミについても、様々な位置に収納することができ、利便性に優れている。また全体を密閉構造として、開口部を板状の扉で塞ぐことで、美観や臭気の面でも優れている。
【００１６】
請求項２記載の発明は、扉の開閉に関するもので、扉は、開口部の全域を塞いだ状態から左右両方向に移動可能であることを特徴とする。この発明では、扉が開口部を完全に塞いだ状態において、扉は左右両方向に移動可能な構造としてあり、いずれの方向に移動させた場合でも、開口部のほぼ全域を露出させることができる。そのため、扉が完全に開いた状態では、扉の側端部が側面板よりも外側に突出しても構わない。
【００１７】
このように、開口部の全域を扉で塞いだ状態において、扉は左右両方向に移動可能な構造とすることで、ゴミを収納する際、一方の手がふさがっていた場合でも、他方の手を用い、身体的に無理のない方向に扉を移動させることができ、利便性に優れている。なおこの発明では、開口部の全域を扉で塞いだ状態を維持できるよう、扉のガイドに何らかの対策を講じることが望ましい。その具体例としては、ガイドに局地的な段差を設け、扉が開口部を塞いだ状態において、戸車などが段差に嵌まり込む構成が挙げられる。
【００１８】
請求項３記載の発明は、内部でのゴミの移動を規制するためのもので、開口部の内側には、内容物の移動を規制するため、該開口部を横切るように仕切りを設けてあることを特徴とする。一般に、連休明けなどには大量のゴミが排出され、ゴミ収納庫の上部まで積み重ねられることがあり、その場合、ゴミが開口部から外部に押し出される恐れがある。そこで請求項３記載の発明のように、ゴミの移動を規制するため、開口部の内側に仕切りを設けることがある。
【００１９】
仕切りは、水平方向に伸びる棒状のもので、開口部の左右両端を結び、ゴミの移動を規制する。ただし仕切りは、常時設けるものではなく、大量のゴミが排出された際、一時的に使用するものとして、通常は開口部に露出しないようにする。また仕切りは、開口部の高さに応じ、複数本を用いることもできる。なお開口部の内側とは、開口部よりも内部に入り込んだ位置を意味する。このように仕切りを用いることで、大量のゴミが排出された際の利便性が向上する。
【発明の効果】
【００２０】
請求項１記載の発明のように、ゴミ収納庫を前面板と背面板と側面板と天板と床板で取り囲まれた密閉構造とするほか、開口部を板状の扉で塞ぐことで、外殻の全体が金属板で覆われ、骨格などの各種部品が覆い隠されるため、従来のゴミ収納庫とは一線を画する特有のデザインとなり、美観が向上する。また扉を完全に閉じると内部が密閉され、付近を通行する人は内部のゴミを視認できず、悪い印象を与えることがない。さらに臭気の拡散が抑制されるほか、鳥獣被害を受けることもない。
【００２１】
開口部は、天板と前面板を跨ぐ広大な範囲に設けることで、ゴミを持ち込んだ際、背面板や側面板の近傍など、様々な位置に無理なく投下可能で、内部の空間を無駄なく有効に活用できる。しかも開口部の下端は、床板の近傍に到達させることで、内部に足を踏み入れることも容易で、重量のかさむゴミについても、様々な位置に収納することができ、利便性に優れている。
【００２２】
請求項２記載の発明のように、開口部の全域を扉で塞いだ状態において、扉は左右両方向に移動可能な構造とすることで、ゴミを収納する際、一方の手がふさがっていた場合でも、他方の手を用い、身体的に無理のない方向に扉を移動させることができ、利便性に優れている。
【００２３】
請求項３記載の発明のように、開口部の内側には、内容物の移動を規制するため、仕切りを設けることで、大量のゴミが排出された際も、仕切りでその移動が規制され、外部に押し出されることを防ぎ、利便性が向上する。なお仕切りは、必要に応じて一時的に使用することを想定しており、通常は開口部に露出しない。
【図面の簡単な説明】
【００２４】
【図１】本発明によるゴミ収納庫の形状例を示す斜視図で、扉を開いた状態も併せて描いてある。
【図２】図１の扉を取り外した状態を示す斜視図である。
【図３】仕切りの詳細構造を示す斜視図で、図１のゴミ収納庫の下部のみを描いてある。
【図４】本発明によるゴミ収納庫の形状例を示す斜視図で、開口部を一方の側面板に隣接配置してあり、扉を開く方向が限定されている。
【図５】本発明によるゴミ収納庫の形状例を示す斜視図で、扉の上端を延長して、天板と背面板との境界を巻き込むような形状としてある。
【発明を実施するための形態】
【００２５】
図１は、本発明によるゴミ収納庫の形状例を示す。このゴミ収納庫は、ステンレス鋼板など、対候性を有する板材を接合した構造で、風雨にさらされた後もサビを生じることはなく、しかもゴミから染み出す水分で腐食することもなく、その特有の光沢が周囲に好印象を与える。そしてゴミ収納庫の外殻は、前面板１１と背面板１２と側面板１３と天板１４と床板１５で構成される。そのうち前面板１１は、ゴミ収納庫の正面に位置しており、地面近くから直立している。また背面板１２は、前面板１１と対向する面を構成しており、壁面などに隣接する。
【００２６】
次に側面板１３は、左右二箇所に配置され、前面板１１と背面板１２を結ぶように直立している。また天板１４は、上部を塞いで雨水などの浸入を塞ぐ役割を担うが、図１では、奥から手前に向かうに連れて下降する傾斜を持たせてあり、単純な箱形と比べて美観が向上するほか、雨水や降雪の堆積を防ぐ。そして床板１５は、地面近くで水平方向に展開して、収納されたゴミを載せると共に、前面板１１や背面板１２や側面板１３の土台としても機能する。なおここに挙げた各板は、密閉構造を実現するため、金網やエキスパンドメタルなどのような隙間を有しない。ただし内部の湿度調整や、水抜きのため、何らかの穴を設けることはある。
【００２７】
前記のように、天板１４は前下がりに傾斜しており、これに応じて側面板１３の上辺も傾斜しており、必然的に前面板１１よりも背面板１２の方が広くなる。また、天板１４と前面板１１との境界は、緩やかな曲面でつないでおり、美観が一段と向上している。そのほか、床板１５の裏側の四隅には脚１９を取り付け、床板１５を地面から引き離している。個々の脚１９の高さを調整することで、床板１５を水平に据え付ける。
【００２８】
開口部１６は、ゴミの出し入れを行うための切り抜きで、ゴミ収納庫を正面から見た際、中央に位置して、天板１４と前面板１１を跨ぐ範囲に設けてある。そして開口部１６の下端は、床板１５との段差がなく、重量のかさむゴミでも、大きく持ち上げることなく様々な位置に収納可能で、利便性に優れている。また開口部１６の上端は、天板１４の上部に位置しており、内部に相応のゴミが積み重ねられた後も、背面板１２の近傍など、あらゆる位置にゴミを載せることができる。このように、開口部１６を広く確保することで、ゴミを出し入れする際の利便性が著しく向上する。なお開口部１６には、ゴミの移動を規制するため、着脱自在の仕切り３１を組み込んである。
【００２９】
扉２１は、他の部位と同様の板材を用いており、天板１４と前面板１１の外縁に沿うよう、途中で屈曲した形状で、開口部１６の全域を塞ぐ大きさを確保してある。また扉２１は、左右の側面板１３を結ぶ水平方向に移動できる構造で、しかも覆い隠された開口部１６を露出させる際、扉２１は左右両方向に移動可能で、一方の手がふさがっていた場合でも、無理な姿勢を強いられない方向に扉２１を移動させることができ、利便性に優れている。なお扉２１は両方向に開くことができるため、扉２１の前面の持ち手２３は、左右両側に設けてある。
【００３０】
扉２１の移動を実現するため、上ガイド１７と下ガイド１８を備えている。上ガイド１７は、天板１４の頂上付近に設け、扉２１の上端部を挟み込み、一次元方向の移動だけを許容している。対する下ガイド１８は、前面板１１と床板１５との境界付近に設け、扉２１の下端部を挟み込み、一次元方向の移動だけを許容している。なお上ガイド１７と下ガイド１８の具体的な構造は自在に決めることができ、単純な摺動式のほか、フォロワーや戸車と組み合わせることもできる。
【００３１】
扉２１は図１に描くように、図の右側に開くこともできれば、左側に開くこともでき、いずれも場合も、最大限に開くと、開口部１６のほぼ全域が露出し、その際、扉２１の側端部は、側面板１３よりも外側に突出する。なお実際のゴミ収納庫では、扉２１が上ガイド１７や下ガイド１８から脱落しないよう、何らかのストッパーを組み込む。また扉２１を閉じる際、扉２１が開口部１６を完全に閉じた位置で停止できるよう、下ガイド１８に局地的な段差を設けるなどの対策を講じる。
【００３２】
図２は、図１の扉２１を取り外した状態を示している。このように開口部１６は、上下左右とも十分な広さを確保してあり、ゴミの出し入れを円滑に行うことができる。また開口部１６以外は、前面板１１などで密閉されており、美観に優れているほか、鳥獣被害を受けることもない。さらに扉２１は、天板１４と前面板１１の外縁に覆い被さるような形状としてある。そのため一体感のある前面形状となり、美観に優れているほか、ネットのような隙間がないため、内部のゴミが露出することがなく、臭気の拡散も防止できる。
【００３３】
図３は、仕切り３１の詳細構造を示し、図１のゴミ収納庫の下部のみを描いてある。仕切り３１は単純な丸棒で、大量のゴミが排出された際、ゴミが開口部１６から外部に押し出されることを防ぐ役割を担い、必要に応じ、開口部１６の左右に設けてあるフック３２に載せる。したがって、ゴミの排出量が多くない通常時は、仕切り３１をフック３２から取り外して、近傍で保管する。
【００３４】
仕切り３１の具体的な形態は様々で、図３の下方の「別形態」に描くように、前面板１１の裏側に保持軸３３を組み込み、この保持軸３３を支点として、仕切り３１を揺動可能な構造とすることもできる。この構造では、通常時、仕切り３１を持ち上げて、前面板１１の裏側に配置するが、ゴミが外部に押し出される可能性があれば、あらかじめ仕切り３１を下げておく。このように、仕切り３１の具体的な形態は、自在に決めて構わない。
【００３５】
図４は、本発明によるゴミ収納庫の形状例を示し、開口部１６を一方の側面板１３（図の右側の方）に隣接配置してあり、扉２１を開く方向が限定されている。この図の扉２１は、最大限に開いた状態でも、その側端部が外に突出することはなく、周囲の空間に制約がある場所での設置に適している。ただし開口部１６の横幅は、ゴミ収納庫の横幅の半分程度を確保してあり、また開口部１６の上端は、天板１４の上部に位置しており、必要十分な利便性を有する。
【００３６】
図５は、本発明によるゴミ収納庫の形状例を示し、扉２１の上端を延長して、天板１４と背面板１２との境界を巻き込むような形状としてあるほか、天板１４と前面板１１との境界を大径の曲面で結び、美観を向上させている。本発明において、各部の詳細な形状に制限はなく、この図のように、美観を追求したデザインを導入することもできる。なお扉２１の上端を延長したことで、上ガイド１７は、背面板１２の上部に設けてあり、しかも扉２１は、左右両方向に開くことができる。そのほかこの図では、着脱式の仕切り３１を上下に二列配置してある。
【符号の説明】
【００３７】
１１  前面板
１２  背面板
１３  側面板
１４  天板
１５  床板
１６  開口部
１７  上ガイド
１８  下ガイド
１９  脚
２１  扉
２３  持ち手
３１  仕切り
３２  フック
３３  保持軸
【図１】
2018199541.tif 000003
【図２】
2018199541.tif 000004
【図３】
2018199541.tif 000005
【図４】
2018199541.tif 000006
【図５】
2018199541.tif 000007